(57)【要約】【課題】新たな側面開放ヒンジ蓋容器、特に、シガレットのような細長い喫煙物品のための新たな側面開放ヒンジ蓋パックを提供する。【解決手段】シガレットのような細長い喫煙物品のための側面開放ヒンジ蓋パックとしての特定用途を見出す側面開放ヒンジ蓋容器は、前壁（６）、後壁（８）、上部壁（１０）、及び底壁（１２）を有する本体部分（２）と、前壁（１６）、後壁（１８）、上部壁（２０）、及び底壁（２２）を有し、かつ本体部分（２）の内部にアクセスできない閉鎖位置と本体部分（２）の内部の少なくとも一部分にアクセスできる開放位置との間のピボット式移動のためにヒンジ線（２６）に沿って本体部分（２）に接続された蓋部分（４）と、前壁（３２）、後壁（３４）、及び側壁（１５、３６）を有し、かつ本体部分（２）に取り付けられてそこから閉鎖位置にある蓋部分（４）によって覆われた空間内に横に突出する本体部分ライナ（３０）と、本体部分ライナ（３０）上に取り付けられた少なくとも１つの外側に延びる耳（１２２）と、蓋部分（４）にそれに対するピボット式移動（２０）のためにヒンジ式に取り付けられた少なくとも１つの内側に延びるフラップ（１３４）とを含み、開放位置から閉鎖位置への蓋部分（４）のピボット式移動中、及び／又は閉鎖位置から開放位置への蓋部分（４）のピボット式移動中に、少なくとも１つのフラップ（１３４）は、少なくとも１つの耳（１２２）に係合して音を発生する。【選択図】図１ｂ
2008522914.tif 000002
【特許請求の範囲】
【請求項１】
前壁６、後壁８、上部壁１０、及び底壁１２を有する本体部分２と、
前壁１６、後壁１８、上部壁２０、及び底壁２２を有し、かつ前記本体部分２の内部にアクセスできない閉鎖位置と該本体部分２の内部の少なくとも一部分にアクセスできる開放位置との間のピボット式移動のためにヒンジ線２６に沿って該本体部分２に接続されている蓋部分４と、
前壁３２、後壁３４、及び側壁３６を有し、かつ前記本体部分２に取り付けられてそこから前記閉鎖位置にある前記蓋部分４によって覆われた空間内に横に突出している本体部分ライナ３０と、
前記本体部分ライナ３０上に取り付けられた少なくとも１つの外側に延びる耳１２２と、
前記蓋部分４にそれに対するピボット式移動のためにヒンジ式に取り付けられた少なくとも１つの内側に延びるフラップ１３４と、
を含み、
前記開放位置から前記閉鎖位置への前記蓋部分４のピボット式移動中、及び／又は該閉鎖位置から該開放位置への該蓋部分４のピボット式移動中に、前記少なくとも１つのフラップ１３４は、前記少なくとも１つの耳１２２に係合して音を発生する、
ことを特徴とする側面開放ヒンジ蓋容器。
【請求項２】
前記蓋部分４の前記前壁１６、前記後壁１８、前記上部壁２０、及び前記底壁２２は、前記閉鎖位置にある前記本体部分２のそれぞれ前記前壁６、前記後壁８、前記上部壁１０、及び前記底壁１２に平行であり、かつそれらに当接していることを特徴とする請求項１に記載の側面開放ヒンジ蓋容器。
【請求項３】
前記蓋部分４の前記前壁１６、前記後壁１８、及び前記上部壁２０は、前記開放位置にある前記本体部分２のそれぞれ前記前壁６、前記後壁８、及び前記上部壁１０から離間していることを特徴とする請求項１又は請求項２に記載の側面開放ヒンジ蓋容器。
【請求項４】
前記蓋部分４の前記底壁２２は、前記ヒンジ線２６に沿って前記本体部分４の前記底壁１２に接続されていることを特徴とする請求項１から請求項３のいずれか１項に記載の側面開放ヒンジ蓋容器。
【請求項５】
前記本体部分ライナ３０上に取り付けられた１対の対向する外側に延びる耳１２２と、前記蓋部分にヒンジ式に取り付けられた１対の対向する内側に延びるフラップ１３４とを含み、
前記開放位置から前記閉鎖位置への前記蓋部分４のピボット式移動中、及び／又は該閉鎖位置から該開放位置への該蓋部分４のピボット式移動中に、前記対向するフラップ１３４の対は、前記対向する耳１２２の対に係合して音を発生する、
ことを特徴とする請求項１から請求項４のいずれか１項に記載の側面開放ヒンジ蓋容器。
【請求項６】
前記蓋部分４に取り付けられ、かつ前壁５２及び／又は後壁５４を有する蓋部分ライナ５０を更に含むことを特徴とする請求項１から請求項５のいずれか１項に記載の側面開放ヒンジ蓋容器。
【請求項７】
前記少なくとも１つの内側に延びるフラップ１３４は、前記蓋部分ライナ５０の前記前壁５２及び／又は後壁５４上にそれに対するピボット式移動のためにヒンジ式に取り付けられていることを特徴とする請求項６に記載の側面開放ヒンジ蓋容器。
【請求項８】
前記蓋部分ライナ５０の前記前壁５２及び／又は前記後壁５４は、前記閉鎖位置にある前記蓋部分４から前記本体部分２内に横に突出していることを特徴とする請求項６又は請求項７に記載の側面開放ヒンジ蓋容器。
【請求項９】
前記本体部分２と前記本体部分ライナ３０の間に取り付けられた内側フレーム４０を更に含むことを特徴とする請求項１から請求項８のいずれか１項に記載の側面開放ヒンジ蓋容器。
【請求項１０】
前記本体部分２と前記本体部分ライナ３０の間に取り付けられた内側フレーム４０を更に含み、前記蓋部分ライナ５０の前記前壁５２及び／又は前記後壁５４は、該内側フレーム４０のそれぞれ前壁４２及び／又は後壁４４に設けられた少なくとも１つのスロットに摺動可能に係合することを特徴とする請求項８に記載の側面開放ヒンジ蓋容器。
【請求項１１】
複数の細長い喫煙物品を収容することを特徴とする請求項１から請求項１０のいずれか１項に記載の側面開放ヒンジ蓋容器。
【発明の詳細な説明】
【技術分野】
【０００１】
本発明は、新たな側面開放ヒンジ蓋容器に関し、具体的には、シガレットのような細長い喫煙物品のための新たな側面開放ヒンジ蓋パックに関する。
【背景技術】
【０００２】
シガレットのような喫煙物品及び他の様々な消費者向け商品は、一般的に、本体部分と本体部分にヒンジ付けされた蓋部分とを有するヒンジ蓋容器で販売される。従来のヒンジ蓋シガレットパックにおいては、パックの蓋部分は、横ヒンジ線に沿ってパックの本体部分の後壁の上部にヒンジ付けされ、シガレットは、その縦軸線をパックの縦軸線と平行にして直立パックの本体部分に立っている。蓋部分の前部を上方かつ後方へピボット回転することによって消費者がパックを開くと、本体部分に立っているシガレットの上端は露出されるが、閉鎖位置においては、ヒンジ蓋パックの蓋部分の前壁、後壁、及び側壁は、パックの本体部分の対応する壁の垂直延長部を形成する。
【０００３】
このような従来の「上面開放」ヒンジ蓋シガレットパックの代替として、パックの蓋部分が、パックの本体部分の細長い開放側にヒンジ付けされ、シガレットが、その縦軸線をパックの細長い開放側と平行にしてパックの本体部分に収納される「側面開放」ヒンジ蓋シガレットパックを提供することも公知である。ＷＯ−Ａ−９９／５２７９１は、例えば、パックの蓋部分の後壁が、パックのシガレットの縦軸線と平行に垂直ヒンジ線に沿って本体部分の後壁にピボット式に接続されている側面開放ヒンジ蓋シガレットパックを開示している。ＷＯ−Ａ−９９／５２７９１に開示されたパックは、パックの本体部分に取り付けられたライナを更に含み、これは、閉鎖位置にある蓋部分によって覆われた空間内に本体部分の開放側から突出している。使用時には、パックの本体部分に立っているシガレットは、ライナによって部分的に囲まれ、その側壁は、シガレットがパックから横にこぼれることを防ぐ。
【０００４】
ＵＳ−Ａ−３０５８６４６は、パックの蓋部分の底壁が、パックのシガレットの縦軸線と垂直に水平ヒンジ線に沿って本体部分の底壁にピボット式に接続されている代替的な側面開放ヒンジ蓋シガレットパックを開示している。ＷＯ−Ａ−９９／５２７９１に説明されたパックのように、ＵＳ−Ａ−３０５８６４６のパックも、閉鎖位置にある蓋部分によって覆われた空間内に本体部分の開放側から突出する、パックの本体部分に固定されたライナを含む。パックの本体部分に保持されたシガレットの横移動を制限すると同時に、ＵＳ−Ａ−３０５８６４６に開示されたパックのライナには、その前壁及び後壁の平面と実質的に平行に延びる１対の対向するタブも設けられている。必要に応じて、パックを開放又は閉鎖位置に保持するために、これらのタブの自由端は、パックの蓋部分の前壁及び後壁の内面に接着される。使用時には、パックを開閉するために蓋部分がヒンジ線に関してピボット回転される時に、タブを折り畳むとパックの蓋部分の前壁及び後壁が外側に曲がり、タブを圧縮下に置き、パックの開閉に対する抵抗をもたらす。
【０００５】
【特許文献１】ＷＯ−Ａ−９９／５２７９１
【特許文献２】ＵＳ−Ａ−３０５８６４６
【発明の開示】
【０００６】
本発明により、前壁、後壁、上部壁、及び底壁を有する本体部分と、前壁、後壁、上部壁、及び底壁を有し、かつ本体部分の内部にアクセスできない閉鎖位置と本体部分の内部の少なくとも一部分にアクセスできない開放位置との間のピボット式移動のためにヒンジ線に沿って本体部分に接続された蓋部分と、前壁、後壁、及び側壁を有し、かつ本体部分に取り付けられてそこから閉鎖位置にある蓋部分によって覆われた空間内に横に突出する本体部分ライナと、本体部分ライナ上に取り付けられた少なくとも１つの外側に延びる耳と、蓋部分にそれに対するピボット式移動のためにヒンジ式に取り付けられた少なくとも１つの内側に延びるフラップとを含み、開放位置から閉鎖位置及び／又は閉鎖位置から開放位置への蓋部分の移動中に、少なくとも１つのフラップが少なくとも１つの耳に係合して音を発生する側面開放ヒンジ蓋容器が提供される。
【０００７】
本発明によるヒンジ蓋容器の蓋部分の開放位置から閉鎖位置及び／又は閉鎖位置から開放位置への移動中の音の発生は、有利な態様においては、容器のそれぞれ閉鎖及び／又は開放の可聴指示を消費者に提供するものである。本発明によるヒンジ蓋容器の開放時の音の発生は、有利な態様においては、例えば、容器の内容物に不正に手を加えることの可聴指示をもたらすために使用することができる。一方、本発明によるヒンジ蓋容器の閉鎖時の音の発生は、有利な態様においては、例えば、容器が正しく又は完全に閉鎖されたことの可聴指示を消費者にもたらすために使用することができる。
【０００８】
好ましくは、蓋部分の前壁、後壁、上部壁、及び底壁は、閉鎖位置では、それぞれ、本体部分の前壁、後壁、上部壁、及び底壁に平行であり、かつそれらに当接している。好ましくは、蓋部分の上部壁、前壁、及び後壁は、開放位置では、それぞれ、本体部分の上部壁、前壁、及び後壁から離間している。好ましくは、蓋部分の底壁は、ヒンジ線に沿って本体部分の底壁に接続されている。蓋部分及び本体部分は、しかしながら、ＷＯ−Ａ−９９／５２７９１におけるように、蓋部分の上部壁、底壁、及び前壁が、それぞれ、開放位置において本体部分の上部壁、底壁、及び前壁から離間するように、それらの後壁に沿ってヒンジ式に接続することができる。
【０００９】
好ましくは、容器は、本体部分ライナ上に取り付けられた１対の対向する外側に延びる耳と、蓋部分にヒンジ式に取り付けられた１対の対向する内側に延びるフラップとを含み、開放位置から閉鎖位置への蓋部分の移動中及び／又は閉鎖位置から開放位置への蓋部分の移動中に、対向するフラップの対は、対向する耳の対に係合して音を発生する。１対の対向する耳及び１対の対向するフラップを含むことにより、有利な態様においては、本発明によるヒンジ蓋容器の閉鎖及び／又は開放のより大きな音の可聴指示を生成することができる。
【００１０】
好ましくは、容器は、前壁及び／又は後壁を有する、蓋部分に取り付けられた蓋部分ライナを更に含む。好ましくは、上述の少なくとも１つの内側に延びるフラップが、蓋部分ライナの前壁及び／又は後壁上にそれに対するピボット式移動のためにヒンジ式に取り付けられる。好ましくは、蓋部分ライナの前壁及び／又は後壁は、閉鎖位置にある蓋部分から本体部分内に横に突出している。蓋部分ライナを含むことは、有利な態様においては、ヒンジ蓋容器に対する強化をもたらすものである。
好ましくは、容器は、本体部分と本体部分ライナの間に取り付けられた内側フレームを更に含む。好ましくは、蓋部分ライナの前壁及び／又は後壁は、内側フレームの前壁及び／又は後壁に設けられた少なくとも１つのスロットと摺動可能に係合する。
本発明を添付図面を参照して単に例示的に以下で更に説明する。
【発明を実施するための最良の形態】
【００１１】
図１ａ及び図１ｂに示す空の側面開放ヒンジ蓋容器は、一般的に、本体部分２及びこれにヒンジ付けされた蓋部分４を含む。使用時に例えばシガレットのような複数の細長い喫煙物品を収納することができる本体部分２は、前壁６に対向する後壁８、上部壁１０に対向する底壁１２、及び本体側壁１４を含む。蓋部分４は、同様に、前壁１６に対向する後壁１８、上部壁２０に対向する底壁２２、及び蓋側壁２４を含む。
【００１２】
蓋側壁２４から離れた、蓋部分４の底壁２２の縁部は、図１ａに示す閉鎖位置と図１ｂに示す開放位置の間のピボット式移動のために、ヒンジ線２６に沿って、本体側壁１４から離れた、本体部分２の底壁１２の縁部に接続される。図１ａに示す閉鎖位置にある時、蓋部分４は、本体部分２と並列当接関係に配置され、蓋部分４の前壁１６、後壁１８、上部壁２０、及び底壁２２は、本体部分２の対応する壁の続きとして機能する。図１ｂに示す開放位置にある時、蓋部分４の前壁１６、後壁１８、及び上部壁２０は、それぞれ、本体部分２の前壁６、後壁８、及び上部壁１０から離間している。
【００１３】
前壁３２及び対向する後壁３４と側壁３６とを有する本体部分ライナ３０は、その前壁３２の一部分、後壁３４の一部分、及び側壁３６が、図１ａに示す閉鎖位置にある蓋部分４によって覆われた空間内に本体部分２から突出するようにヒンジ蓋容器の本体部分２に取り付けられる。ヒンジ蓋容器が開放位置にある時、本体部分２から突出する本体部分ライナ３０の部分は、図１ｂに示すように、本体部分２及び蓋部分４のそれぞれ離間した前壁６及び１６、後壁８及び１８、及び上部壁１０及び２０の間の領域に露出される。
前壁４２及び対向する後壁４４と上部壁４６とを有する内側フレーム４０もまた、閉鎖位置にある蓋部分４によって覆われた空間内にその上部が本体部分２から延びるように、本体部分２と本体部分ライナ３０の間のヒンジ蓋容器の本体部分２に取り付けられる。
【００１４】
上縁が弓形である前壁５２及び対向する後壁５４と側壁５６（図示せず）とを有する蓋部分ライナ５０は、蓋部分ライナ５０の前壁５２及び後壁５４が、それぞれ、蓋部分４の前壁１６及び後壁１８を超えて本体部分２内に突出するように、その側壁５６の外面を蓋部分４の蓋側壁２４の内面に向けてヒンジ蓋容器の蓋部分４に取り付けられる。ヒンジ蓋容器の本体部分２内に突出する蓋部分ライナ５０の前壁５２及び後壁５４の端部は、容器に取り付けられた内側フレーム４０の前壁４２及び後壁４４にそれぞれ設けられた１対の対向する縦スロット（図示せず）によって受けられる。
【００１５】
図１ａ及び図１ｂのヒンジ蓋容器の本体部分２と蓋部分４、内側フレーム４０、本体部分ライナ３０、及び蓋部分ライナ５０が組み立てられる４つの別々のボール紙ブランクが、図２、図３、図４、及び図５にそれぞれ示されている。上述の本体部分２と蓋部分４、内側フレーム４０、本体部分ライナ３０、及び蓋部分ライナ５０の要素と同様であるか又は関連する４つのブランクの要素には、対応する参照符号が図２、図３、図４、及び図５で用いられている。各ブランクは、様々なパネル及び／又はタブを含み、これらは、適切な折れ線（破線で示す）に関して折り畳まれると、図１ａ及び図１ｂに示すヒンジ蓋容器の必要な部分を形成し、ここで、折れ線という用語は、例えば、ブランクをしわ付け、折り目付け、穿孔、エンボス加工、又は他の方法で圧縮、切断、及び／又は弱化することよって形成される線を示すように用いられる。
【００１６】
図２を参照すると、図１ａ及び図１ｂのヒンジ蓋容器の本体部分２及び蓋部分４が組み立てられる細長い薄層ブランクは、本体部分外側底壁パネル１２’、本体部分前壁パネル６、本体部分上部壁パネル１０、本体部分後壁パネル８、及び本体部分内側底壁パネル１２’’を含み、これらは、横第１折れ線６０、平行第２折れ線６２、平行第３折れ線６４、及び平行第４の折れ線６６によってそれぞれブランクの縦方向に互いに分離されている。ブランクは、更に、蓋部分外側底壁パネル２２’、蓋部分前壁パネル１６、蓋部分上部壁パネル２０、蓋部分後壁パネル１８、及び蓋部分内側底壁パネル２２’’を含み、これらは、ブランクの横方向に、対応する本体部分パネルに隣接している。蓋部分外側底壁パネル２２’、蓋部分前壁パネル１６、蓋部分上部壁パネル２０、蓋部分後壁パネル１８、及び蓋部分内側底壁パネル２２’’もまた、第１の折れ線６０、第２の折れ線６２、第３の折れ線６４、及び第４の折れ線６６によってそれぞれブランクの縦方向に互いに分離されている。
【００１７】
本体部分外側底壁パネル１２’及び蓋部分外側底壁パネル２２’と、本体部分内側底壁パネル１２’’及び蓋部分内側底壁パネル２２’’とは、１対の平行なヒンジ線２６’及び２６’’によってそれぞれブランクの横方向に互いに分離され、ヒンジ線は、第１の折れ線６０、第２の折れ線６２、第３の折れ線６４、及び第４の折れ線６６に垂直である。図２に太い破線で示されるヒンジ線２６’及び２６’’は、例えば、ブランクをしわ付け、折り目付け、穿孔、エンボス加工、又は他の方法で圧縮、切断、及び／又は弱化することによって形成することができる。
【００１８】
本体部分前壁パネル６及び蓋部分前壁パネル１６と、本体部分上部壁パネル１０及び蓋部分上部壁パネル２０と、本体部分後壁パネル８及び蓋部分後壁パネル１８とは、切れ目６８によってブランクの横方向に互いに分離され、切れ目は、ヒンジ線２６’及び２６’’の共線延長であり、ブランクの縦方向に第１の折れ線６０から第４の折れ線６６まで延びている。
本体部分外側側壁パネル１４’は、第５の折れ線７０に沿って本体部分前壁パネル６の蓋部分前壁パネル１６から離れた側面に接続され、折れ線７０は、ブランクの縦方向に第１の折れ線６０から第２の折れ線６２までこれらに垂直に延びている。蓋部分外側側壁パネル２４’は、同様に、第６の折れ線７２に沿って蓋部分前壁パネル１６の本体部分前壁パネル６から離れた側面に接続され、折れ線７２は、第５の折れ線７０に平行であり、同じくブランクの縦方向に第１の折れ線６０から第２の折れ線６２まで延びている。
【００１９】
本体部分内側側壁パネル１４’’は、第７の折れ線７４に沿って本体部分後壁パネル８の蓋部分後壁パネル１８から離れた側面に接続され、折れ線７４は、第５の折れ線７０の共線であり、ブランクの縦方向に第３の折れ線６４から第４の折れ線６６まで延びている。蓋部分内側側壁パネル２４’’は、同様に、第８の折れ線７６に沿って蓋部分後壁パネル１８の本体部分後壁パネル８から離れた側面に接続され、折れ線７６は、第６の折れ線７２の共線であり、同じくブランクの縦方向に第３の折れ線６４から第４の折れ線６６まで延びている。
【００２０】
ブランクは、更に、第９の折れ線８０に沿って本体部分外側底壁パネル１２’のヒンジ２６’から離れた側面に接続された本体部分底壁フラップ７８を含み、折れ線８０は、実質的に第５の折れ線７０の共線延長である。本体部分底壁フラップ７８と実質的に同じ形状及びサイズである蓋部分底壁フラップ８２は、平行第１０折れ線８４に沿って蓋部分外側底壁パネル２２’のヒンジ２６’から離れた側面に接続され、折れ線８４は、実質的に第６の折れ線７２の共線延長である。
【００２１】
本体部分上部壁フラップ８６は、第１１の折れ線８８に沿って本体部分上部壁パネル１０の切れ目６８から離れた側面に接続され、折れ線８８は、実質的に第５の折れ線７０の共線延長である。本体部分上部壁フラップ８６と実質的に同じ形状及びサイズである蓋部分上部壁フラップ９０は、平行第１２折れ線９２に沿って蓋部分上部壁パネル２０の切れ目６８から離れた側面に接続され、折れ線９２は、実質的に第６の折れ線７２の共線延長である。
【００２２】
図２に示すブランクから図１ａ及び図１ｂのヒンジ蓋容器の本体部分２及び蓋部分４を組み立てる間に、本体部分前壁パネル６及び本体部分後壁パネル８は、これらが本体部分上部壁パネル１０及び蓋部分上部壁パネル２０に垂直であるように、第２の折れ線６２及び第３の折れ線６４に関してそれぞれ９０度にわたって折り畳まれる。本体部分外側底壁パネル１２’及び蓋部分外側底壁パネル２２’と、本体部分内側底壁パネル１２’’及び蓋部分内側底壁パネル２２’’と、本体部分外側側壁パネル１４’と、本体部分内側側壁パネル１４’’と、蓋部分外側側壁パネル２４’と、蓋部分内側側壁パネル２４’’とは、第１の折れ線６０、第４の折れ線６６、第５の折れ線７０、第７の折れ線７４、第６の折れ線７２、及び第８の折れ線７６に関してそれぞれ９０度にわたって上に重なる関係に折り畳まれ、外側側壁パネル１２’、１４’、２２’、及び２４’の各々の内面は、対応する内壁パネル１２’’、１４’’、２２’’、及び２４’’の外面に接着される。
【００２３】
本体部分２及び蓋部分４の外側底壁パネル１２’及び２２’、内側底壁パネル１２’’及び２２’’、外側側壁パネル１４’及び２４’、及び内側側壁パネル１４’’及び２４’’が、それぞれ、第１の折れ線６０、第４の折れ線６６、第５の折れ線７０、第６の折れ線７２、第７の折れ線７４、及び第８の折れ線７６に関して折り畳まれる前に、本体部分底壁フラップ７８、蓋部分底壁フラップ８２、本体部分上部壁フラップ８６、及び蓋部分上部壁フラップ９０は、第９の折れ線８０、第１０の折れ線８４、第１１の折れ線８８、及び第１２の折れ線９２に関してそれぞれ９０度にわたって折り畳まれる。組み立てられた状態で、本体部分底壁フラップ７８及び本体部分上部壁フラップ８６と、蓋部分底壁フラップ８２及び蓋部分上部壁フラップ９０とは、従って、容器の本体部分２及び蓋部分４内に配置され、それぞれ、本体部分内側側壁パネル１４’’及び蓋部分内側側壁パネル２４’’の上に重なっている。
【００２４】
図２に示すように、ブランクの折り畳みを容易にするために、本体部分外側側壁パネル１４’及び蓋部分外側側壁パネル２４’の幅は、ブランクの横方向において、本体部分内側側壁パネル１４’’及び蓋部分内側側壁パネル２４’’の幅よりも僅かに大きく、本体部分外側底壁パネル１２’及び蓋部分外側底壁パネル２２’の幅は、ブランクの縦方向において、本体部分内側底壁パネル１２’’及び蓋部分内側底壁パネル２２’’の幅よりも僅かに大きい。更に、第９の折れ線８０及び第１１の折れ線８８と、第１０の折れ線８４及び第１２の折れ線９２とは、それぞれ、第５の折れ線７０と第６の折れ線７２に対して、ブランクの横方向にヒンジ線２６’及び切れ目６８に向ってブランクの厚みとほぼ等しい距離だけオフセットされる。
【００２５】
図３を参照すると、図１ａ及び図１ｂのヒンジ蓋容器の内側フレーム４０が組み立てられる細長い薄層ブランクは、前壁パネル４２、上部壁パネル４６、及び後壁パネル４４を含み、これらは、ブランクの縦方向に横第１折れ線１００及び平行横第２折れ線１０２によってそれぞれ互いに分離されている。前壁パネル４２、上部壁パネル４６、及び後壁パネル４４は、ブランクの縦方向において、それぞれ、図２に示すブランクの本体部分前壁パネル６及び蓋部分前壁パネル１６、本体部分上部壁パネル１０及び蓋部分上部壁パネル２０、及び本体部分後壁パネル８及び蓋部分後壁パネル１８と同様の長さである。
【００２６】
対向する傾斜側面を有する突出部１０４は、図３のブランクの縦方向側縁の１つから上部壁パネル４６と前壁パネル４２及び後壁パネル４４との上部隣接部分にわたって延びている。突出部１０４から離れた前壁パネル４２及び後壁パネル４４の幅は、ブランクの横方向において、それぞれ、図２に示すブランクの本体部分前壁パネル６及び本体部分後壁パネル８の幅と実質的に同じである。ブランクの縦方向に延びる共線スロット１０６が、突出部１０４に近接する前壁パネル４２及び後壁パネル４６にそれぞれ設けられる。スリット１０８は、ブランクの縦方向において上部壁パネル４６に近接する各スロット１０６の端部から延びている。
【００２７】
図３に示すブランクから図１ａ及び図１ｂのヒンジ蓋容器の内側フレーム４０を組み立てる間に、前壁パネル４２及び後壁パネル４４は、これらが上部壁パネル４６に垂直であるように、それぞれ、第１の折れ線１００及び第２の折れ線１０２に関して９０度にわたって折り畳まれる。図１ｂに示すように、組み立てられた内側フレーム４０は、前壁パネル４２、後壁パネル４４、及び上部壁パネル４６の上部領域から延びる突出部１０４が、本体部分２から閉鎖位置にある蓋部分４によって覆われた空間内に突出するように、形成されたヒンジ蓋容器の本体部分２に取り付けられる。内側フレーム４０を形成されたヒンジ蓋容器の本体部分２の所定位置に保持するために、縦スロット１０６から離れた内側フレーム４０の前壁パネル４２の外面の部分及び後壁パネル４４の外面の部分は、本体部分前壁パネル６の内面及び本体部分後壁パネル８の内面にそれぞれ接着され、及び／又は内側フレーム４０の上部壁パネル４６の外面は、本体部分上部壁パネル１０の内面に接着される。
【００２８】
図４を参照すると、図１ａ及び図１ｂのヒンジ蓋容器の本体部分ライナ３０が組み立てられる薄層ブランクは、これらが第１の折れ線１１０及び平行第２折れ線１１２に沿ってそれぞれ接続される中央側壁パネル３６の両側に配置された前壁パネル３２及び後壁パネル３４を含む。対向する傾斜側面１１６を有するノッチ１１４が、ブランクの縦方向上縁に設けられ、側壁パネル３６にわたって前壁パネル３２及び後壁パネル３４内に延びている。ノッチ１１４から離れた前壁パネル３２及び後壁パネル３４は、ブランクの横方向において、図２に示す本体部分２及び蓋部分４を形成するためのブランクの本体部分前壁パネル６、蓋部分前壁パネル１６、本体部分後壁パネル８、及び蓋部分後壁パネル１８、並びに図３に示す内側フレーム４０を形成するためのブランクの前壁パネル４２及び後壁パネル４４と同様の長さである。ノッチ１１４の基部とブランクの縦方向下縁の間に垂直に延びる１対の平行第３折れ線１１８が、ブランクの前壁パネル３２及び後壁パネル３４に設けられる。それぞれ、平行第３折れ線１１８の対と第１の折れ線１１０及び第２の折れ線１１２との間でノッチ１１４の基部とブランクの縦方向下縁の間に同じく垂直に延びる１対の平行第４の折れ線１２０もまた、前壁パネル３２及び後壁パネル３４に設けられる。１対の対向する耳１２２が、それぞれ、前壁パネル３２及び後壁パネル３４から第１の折れ線１１０及び第２の折れ線１１２に沿って切断され、ノッチ１１４から離れてその下部領域に側壁パネル３６から延びている。
【００２９】
図４に示すブランクから本体部分ライナ３０を組み立てる間に、前壁パネル３２及び後壁パネル３４は、これらが側壁パネル３６に垂直であり、かつ側壁パネル３６に設けられた対向する耳１２２が前壁パネル３２及び後壁パネル３４の平面に実質的に垂直に延びるように、第１の折れ線１１０及び第２の折れ線１１２に関してそれぞれ９０度にわたって折り畳まれる。図１ｂに示すように、組み立てられた本体部分ライナ３０は、平行第３折れ線１１８の対と第１の折れ線１１０及び第２の折れ線１１２との間のそれぞれ本体部分ライナ３０の前壁パネル３２及び後壁パネル３４の領域が、側壁パネル３６と共に本体部分２から閉鎖位置にある蓋部分４によって覆われた空間内に突出するように、形成されたヒンジ蓋容器の本体部分２に内側フレーム４０に隣接して取り付けられる。本体部分ライナ３０を形成されたヒンジ蓋容器の本体部分２の所定位置に保持するために、ノッチ１１４の対向する傾斜縁部１１６に近接する本体部分ライナ３０の前壁パネル３２の外面の上部及び後壁パネル３４の外面の上部は、それぞれ、内側フレーム４０の前壁パネル４２及び後壁パネル４４の内面に接着され、内側フレームは、上述のように、今度は本体部分２の内面に接着される。
【００３０】
図４に示すブランクの前壁パネル３２及び後壁パネル３４に設けられた平行第３折れ線１１８の対及び平行第４の折れ線１２０の対の結果として、組み立てられた本体部分ライナ３０の前壁３２及び後壁３４は、その側壁３６の垂直縁部まで内側にテーパが付けられ、これは、ヒンジ蓋容器の本体部分側壁１４及び蓋部分側壁２４に比べてかなり低減された幅であり、簡単にするために、平行第３折れ線１１８の対及び平行第４の折れ線１２０の対は、図１ｂから省略されている。形成されたヒンジ蓋容器がシガレットのような細長い喫煙物品を収納するように用いられる場合には、本体部分ライナ３０の前壁３２及び後壁３４のテーパ付けは、有利な態様においては、ヒンジ蓋容器が図１ｂに示す開放位置にある時に、本体部分２に収納された１本のシガレットを本体部分ライナ３０の突出部分から取り出すために消費者に示す結果になる。形成されたヒンジ蓋容器がシガレットを包装するように用いられる場合には、本体部分ライナ３０の側壁３６の幅は、好ましくは、容器に収納されるシガレットの直径とほぼ等しいか又はこれよりも僅かに大きい。
【００３１】
図５を参照すると、図１ａ及び図１ｂのヒンジ蓋容器の蓋部分ライナ５０が組み立てられる薄層ブランクは、凸状弓形上縁を有する前壁パネル５２及び後壁パネル５４を含み、これらは、それぞれ、第１の折れ線１２４及び平行第２折れ線１２６に沿って矩形中央側壁パネル５６の対向する細長い側面に接続される。傾斜上縁を有する１対の対向する突起１２８が、中央側壁パネル５６から離れた前壁パネル５２及び後壁パネル５４の弓形上縁の外側端部から延びている。対向する傾斜側面を有する第１の突出部１３０は、ブランクの縦方向下縁から中央側壁パネル５６と前壁パネル５２及び後壁パネル５４との隣接部分にわたって延びている。同じく対向する傾斜側面を有するより小さな第２の突出部１３２は、第１の突出部から中央側壁パネル５６にわたって延びている。１対の対向する細長いフラップ１３４が、前壁パネル５２及び後壁パネル５４の中央側壁パネル５６に近接する下部から切断される。各フラップ１３４は、第１の折れ線１２４及び第２の折れ線１２６に平行に延びる比較的長い切れ目により、及び比較的長い切れ目の端部から中央側壁パネル５６に向って垂直に延びる１対の対向する比較的短い切れ目により形成される。フラップ１３４は、１対の対向する比較的短い切れ目の間を延びて第１の折れ線１２４及び第２の折れ線１２６に平行な１対の平行第３折れ線１３６に沿って、前壁パネル５２及び後壁パネル５４にそれぞれヒンジ式に接続される。
【００３２】
図５に示すブランクから蓋部分ライナ５０を組み立てる間、前壁パネル５２及び後壁パネル５４は、これらが中央側壁パネル５６に垂直であるように、第１の折れ線１２４及び第２の折れ線１２６に関してそれぞれ９０度にわたって折り畳まれる。前壁パネル５２及び後壁パネル５４のフラップ１３４は、これらが前壁パネル５２及び後壁パネル５４に垂直であり、かつ中央側壁５６に平行であるように、平行第３折れ線１３６の対に関して９０度にわたって内側に折り畳まれる。図１ｂに示すように、組み立てられた蓋部分ライナ５０は、側壁パネル５６から離れた蓋部分ライナ５０の前壁パネル５２及び後壁パネル５４の縁部が、蓋部分４の前壁１６及び後壁１８をそれぞれ超えて容器の本体部分２内に突出するように、蓋部分ライナ５０の中央側壁５６の外面を蓋部分側壁２４の内面に隣接させて、形成されたヒンジ蓋容器の蓋部分４に取り付けられる。蓋部分ライナ５０を形成されたヒンジ蓋容器の所定位置に保持するために、その中央側壁５６の外面が蓋部分側壁２４の内面に接着される。
【００３３】
ヒンジ蓋容器の組み立て中の都合のよい段階で、形成された容器の本体部分２内に突出する蓋部分ライナ５０の前壁パネル５２及び後壁パネル５４の端部は、内側フレーム４０の前壁パネル４２及び後壁パネル４４にそれぞれ設けられたスロット１０６を通される。形成されたヒンジ蓋容器において、蓋部分４の前壁１６及び後壁１８をそれぞれ超えて突出する蓋部分ライナ５０の前壁５２及び後壁５４の部分は、従って、内側フレーム４０の前壁４２の内面と本体部分ライナ３０の前壁３２の外面との間、及び内側フレーム４０の後壁４４の内面と本体部分ライナの後壁３４の外面との間にそれぞれ摺動的に係合する。
【００３４】
図２から図５のブランクの様々なパネルが折り畳まれて互いに接着されて図１ａ及び図１ｂのヒンジ蓋容器を形成する正確な順序は、例えば、形成される容器を生成するために用いられる装置及び／又はその中に包装される消費者向け商品の性質に応じて変えることができることは認められるであろう。本発明によるヒンジ蓋容器が、シガレット又は他の細長い喫煙物品を包装するように使用される場合には、図２から図５に示すブランクは、例えば、金属化紙又はアルミ箔に包まれるシガレットの束と共にいくつかのステーション間でインデックス付け可能である包装ホイルのポケット内に配置することができ、ポケットがステーションからステーションへとインデックスを付ける時に、当業技術で公知のように、ヒンジ蓋容器を形成するように包装されたシガレットの束に対してブランクが段階的に折り畳まれる。
【００３５】
使用時には、ヒンジ蓋容器を開放するために、消費者は、蓋部分４の前壁１６、後壁１８、及び／又は上部壁２０を本体部分２の対応する壁６、８、及び２０から引き離し、それによって蓋部分４を図１ａに示す閉鎖位置から図１ｂに示す開放位置にヒンジ線２６に関して本体部分２から離れて下方にピボット回転させる。蓋部分４がヒンジ線２６に関してピボット回転すると、蓋部分ライナ５０の側壁パネル５６から離れたその前壁５２及び後壁５４の端部は、内側フレーム４０の前壁４２の内面と本体部分ライナ３０の前壁３２の外面との間、及び内側フレーム４０の後壁４４の内面と本体部分ライナの後壁３４の外面との間にそれぞれ保持され、内側フレーム４０の前壁４２及び後壁４４にそれぞれ設けられたスロット１０６を通って本体部分２から離れて摺動する。
【００３６】
ヒンジ蓋容器の開閉中に、蓋部分ライナ５０の前壁５２及び後壁５４の外面と内側フレーム４０の前壁４２及び後壁４４の内面との間でそれぞれ発生する摩擦力と、蓋部分ライナ５０の前壁５２及び後壁５４の内面と本体部分ライナ３０の前壁３２及び後壁３４の外面との間で発生する摩擦力とは、ヒンジ線２６に関して蓋部分４を更にピボット回転させるように消費者によって正の力が加えられるまで、蓋部分ライナ５０及び従って蓋部分４を図１ａに示す完全閉鎖位置と図１ｂに示す完全開放位置との間のあらゆる位置に保持する。
【００３７】
蓋部分４が図１ｂに示す完全開放位置に到達すると、蓋部分ライナ５０の前壁パネル５２及び後壁パネル５４の弓形上縁の外側端部から延びる対向する突起１２８の対は、内側フレーム４０の前壁４２及び後壁４４にそれぞれ設けられたスロット１０６の上端から延びるスリット１０８と協働し、蓋部分ライナ５０の側壁５６から離れたその前壁５２及び後壁５４の端部が内側フレーム４０のスロット１０６を出ることを防ぐ。図１ｂに示す開放部分を超えた本体部分２に対する蓋部分４の更なるピボット式移動は、従って防止される。
【００３８】
ヒンジ蓋容器を続いて閉鎖するために、消費者は、例えば、蓋部分４の側壁２４を押し、蓋部分４をヒンジ線２６に関して本体部分２に向って上方にピボット回転させる。蓋部分４が、図１ｂに示す完全開放位置から図１ａに示す完全閉鎖位置までピボット回転で戻されると、蓋部分ライナ５０の前壁５２及び後壁５４から延びる内側に折り畳まれたフラップ１３４の前面は、本体部分ライナ３０の側壁３６から外側に延びる対向する耳１２２の対応する向かいの表面に係合する。図１ａに示す閉鎖位置に向う蓋部分４の継続ピボット式移動の結果として外側に延びる耳１２２によって内側に折り畳まれるフラップ１３４に与えられる力は、フラップ１３４を折れ線１３６に関して後方に本体部分２から離れて蓋部分ライナ５０の前壁５２及び後壁５４と実質的に平行な位置までピボット回転させる。閉鎖位置に向う蓋部分４の更なるピボット式移動の結果、フラップ１３４の外側後縁が耳１２２の上を通過し、従って、耳１２２によってフラップ１３４に与えられる力が除去された時に、フラップ１３４は、蓋部分ライナ５０の前壁５２及び後壁５４に実質的に垂直であるその初期位置まで耳１２２の縦方向外縁を横切って跳ね返り、「クリック」音を発生する。
【００３９】
消費者にヒンジ蓋容器の閉鎖の可聴指示をもたらすと同時に、蓋部分ライナ５０に設けられたフラップ１３４と本体部分ライナ３０に設けられた耳１２２との間のヒンジ蓋容器の開放中の類似の係合は、有利な態様においては、消費者が十分な回転力を蓋部分４に加えてフラップ１３４が折れ線１３６に関して前方に本体部分２に向って耳１２２によって蓋部分ライナ５０の前壁５２及び後壁５４に実質的に平行な位置までピボット回転されなければ、図１ａに示す完全閉鎖位置から図１ｂに示す完全開放位置までの蓋部分４の移動を防止する。ここでもまた、消費者による蓋部分４の開放位置に向う継続ピボット式移動の結果として、フラップ１３４の外側後縁が耳１２２の上を通過し、従って耳１２２によってフラップ１３４に与えられる力が除去された時に、フラップ１３４は、蓋部分ライナ５０の前壁５２及び後壁５４と実質的に垂直であるその初期位置に戻る。
【００４０】
フラップが耳１２２の縦方向外縁を横切って跳ね返り、ヒンジ蓋容器の完全閉鎖位置から完全開放位置への移動中に「クリック」音を発生するように、例えば、図５に示す蓋部分ライナ５０を形成するためのブランクを修正してフラップ１３４が本体部分ライナ３０に対して折り畳まれる方向を変更することにより、図１ａ及び図１ｂのヒンジ蓋容器は、消費者に閉鎖よりもむしろ開放の可聴指示を提供するように容易に適応させることができる。
【００４１】
更に、少なくとも１つのフラップ及び少なくとも１つの耳の例えば相対寸法、位置、及び配向の適正な選択を通して、本発明によるヒンジ蓋容器を準備することができ、ここで、少なくとも１つのフラップは、少なくとも１つの耳に係合し、開放位置から閉鎖位置へ及び閉鎖位置から開放位置への蓋部分の移動中に音を発生し、それによって、有利な態様においては、消費者に容器の閉鎖及び開放の両方の可聴指示をもたらすことが認められるであろう。
本発明をシガレットの包装に関連して例示したが、本発明によるヒンジ蓋容器は、有利な態様においては、例えば、化粧品、菓子製品、及び他の食材のような他の様々な消費者向け商品を包装するために使用することができることが認められるであろう。
【図面の簡単な説明】
【００４２】
【図１ａ】閉鎖位置にある本発明による空の側面開放ヒンジ蓋容器の正面斜視図である。
【図１ｂ】開放位置にある図１ａの空の側面開放ヒンジ蓋容器の正面斜視図である。
【図２】図１ａ及び図１ｂの側面開放ヒンジ蓋容器の本体部分及び蓋部分を形成するための細長い薄層ブランクの外側面の平面図である。
【図３】図１ａ及び図１ｂの側面開放ヒンジ蓋容器の内側フレームを形成するための細長い薄層ブランクの外側面の平面図である。
【図４】図１ａ及び図１ｂの側面開放ヒンジ蓋容器の本体部分ライナを形成するための薄層ブランクの外側面の平面図である。
【図５】図１ａ及び図１ｂの側面開放ヒンジ蓋容器の蓋部分ライナを形成するための薄層ブランクの外側面の平面図である。
【符号の説明】
【００４３】
２  本体部分
４  蓋部分
６、１６、３２  前壁
１０、２０  上部壁
３０  本体部分ライナ
３６  側壁
【図１ａ】
2008522914.tif 000003
【図１ｂ】
2008522914.tif 000004
【図２】
2008522914.tif 000005
【図３】
2008522914.tif 000006
【図４】
2008522914.tif 000007
【図５】
2008522914.tif 000008
【国際調査報告】
2008522914.tif 000009
2008522914.tif 000010
2008522914.tif 000011